(57)【要約】【課題】先頭トラックにおけるマイナス時間が長いマルチセッションディスクでも、第１セッションのＴＯＣ領域であるか否かの判定とコンテンツデータの再生が適切に行うことのできる光ディスク再生装置を提供することを目的とする。【解決手段】ディスクからデータ信号を読み出す光ピックアップ１０と、データ信号を所定のデータに変換する信号処理部１１と、データからサブコードを検出するサブコード検出部１２と、サブコードを用いて、光ピックアップの位置がリードイン領域にあることを認識するＴＯＣ認識部１３と、認識したリードイン領域直後のプログラム領域まで光ピックアップを移動させる制御部１７と、移動後の光ピックアップの位置におけるサブコードから取得した時刻情報に基づいて、認識したリードイン領域がディスクの第１セッションのリードイン領域であるか否かを判定するリードイン領域判定部１６とを備える。【選択図】  図１
2004335018.tif 000002
【特許請求の範囲】
【請求項１】
ディスクに収納されている各プログラムトラックの開始位置に対応するようにディスク最内周位置から計測した再生開始時刻の情報を含む目次情報が記録されたリードイン領域、再生対象のコンテンツデータを収納したプログラムトラックが記録されたプログラム領域及びリードアウト領域を含むセッションを設けたディスクを再生する光ディスク再生装置であって、
前記ディスクからデータ信号を読み出す光ピックアップと、
前記データ信号を所定のデータに変換する信号処理手段と、
前記データからサブコードを検出するサブコード検出手段と、
前記サブコードを用いて、前記光ピックアップの位置がリードイン領域にあることを認識するリードイン領域認識手段と、
認識したリードイン領域直後のプログラム領域まで前記光ピックアップを移動させる光ピックアップ移動制御手段と、
移動後の光ピックアップの位置におけるサブコードから取得した時刻情報に基づいて、認識したリードイン領域が前記ディスクの第１セッションのリードイン領域であるか否かを判定するリードイン領域判定手段と、
を備える光ディスク再生装置。
【請求項２】
前記リードイン領域判定手段は、前記時刻情報が所定の値より小さい場合、認識したリードイン領域が第１セッションのリードイン領域であると判定する請求項１に記載の光ディスク再生装置。
【請求項３】
前記リードイン領域の目次情報を読み取る目次情報読み取り手段と、前記目次情報読み取り手段で読み取った目次情報が前記ディスクの第１セッションの目次情報であるか否かを判定する目次情報判定手段と、を備え、
前記光ピックアップ移動制御手段は、前記目次情報判定手段が、読み取った目次情報が第１セッションの目次情報でないと判定した場合にのみ、前記光ピックアップをプログラム領域まで移動させる請求項１または２に記載の光ディスク再生装置。
【請求項４】
前記目次情報判定手段は、目次情報に含まれる開始トラック番号情報が“１”である場合、読み取ったリードイン領域がディスクの第１セッションであると判定する請求項３に記載の光ディスク再生装置。
【請求項５】
前記目次情報判定手段は、目次情報にＭＯＤＥ５フォーマットで記録された情報が存在し、かつＰＯＩＮＴ＝０ｘＣ０となる情報が存在する場合、読み取ったリードイン領域がディスクの第１セッションであると判定する請求項３に記載の光ディスク再生装置。
【請求項６】
ディスクに収納されている各プログラムトラックの開始位置に対応するようにディスク最内周位置から計測した再生開始時刻の情報を含む目次情報が記録されたリードイン領域、再生対象のコンテンツデータを収納したプログラムトラックが記録されたプログラム領域及びリードアウト領域を含むセッションを設けたディスクを再生する光ディスク再生方法であって、
前記ディスクからデータ信号を読み出すステップと、
前記データ信号を所定のデータに変換するステップと、
前記データからサブコードを検出するステップと、
前記サブコードを用いて前記光ピックアップの位置がリードイン領域にあることを認識するステップと、
認識した所定のリードイン領域直後のプログラム領域まで前記光ピックアップを移動させるステップと、
移動後の光ピックアップの位置におけるサブコードから取得した時刻情報に基づいて、認識したリードイン領域がディスクの第１セッションのリードイン領域であるか否かを判定するステップと、
を含む光ディスク再生方法。
【請求項７】
前記時刻情報が前記所定の値より小さい場合、読み取ったリードイン領域が第１セッションのリードイン領域であると判定する請求項６に記載の光ディスク再生方法。
【請求項８】
前記リードイン領域の目次情報を読み取るステップと、読み取った目次情報が前記ディスクの第１セッションの目次情報であるか否かを判定するステップと、を含み、
読み取った目次情報が第１セッションの目次情報でないと判定した場合にのみ、前記光ピックアップをプログラム領域まで移動させる請求項６または７に記載の光ディスク再生方法。
【請求項９】
前記目次情報に含まれる開始トラック番号情報が“１”である場合、読み取ったリードイン領域がディスクの第１セッションであると判定する請求項８に記載の光ディスク再生方法。
【請求項１０】
前記目次情報にＭＯＤＥ５フォーマットで記録された情報が存在し、かつＰＯＩＮＴ＝０ｘＣ０である場合、読み取ったリードイン領域がディスクの第１セッションであると判定する請求項８に記載の光ディスク再生方法。
【発明の詳細な説明】
【０００１】
【発明の属する技術分野】
本発明は、情報が記録された光ディスクの再生に関し、特にマルチセッションディスクの第１セッションのリードイン領域へアクセスする技術に関するものである。
【０００２】
【従来の技術】
近年、音楽データ以外にコンピュータで読み取り可能な映像データ等を記録したＣＤ−ＥＸＴＲＡや、データの記録が可能なＣＤ−Ｒ（Ｃｏｍｐａｃｔ  Ｄｉｓｃ  Ｒｅｃｏｒｄａｂｌｅ：コンパクトディスクレコーダブル）など、所謂マルチセッションディスクが広く使用されている。
【０００３】
マルチセッションディスクとは、リードイン、プログラム、リードアウトの三つの領域で構成される記録単位”セッション”が複数設けられたディスクである。各セッションのプログラム領域には、コンテンツデータ（例えば、音楽、映像、および／またはコンピュータで利用するデータ）を収納したプログラムトラックが記録される。コンピュータで利用するデータには、音楽信号を圧縮したＭＰ３フォーマット等のＣＤ−ＲＯＭデータも含まれる。リードイン領域には、プログラム領域に記録されたデータ（プログラムトラック）の開始位置を特定するための目次情報（ＴＯＣ情報）が記録されている。
【０００４】
データの開始位置は、ディスク最内周またはある基準点から通常再生を行った場合の再生時刻の情報（絶対時刻）により特定される。一方、光ディスクには、絶対時刻を特定可能なサブコード情報が規則的に記録されている。また、サブコード情報には絶対時刻のみならず、トラックの番号、インデックス、トラック内の相対時間、文字等の付加情報も含まれるが、ここでは特に、絶対時刻の特定が可能なサブコード情報を意味する。光ディスク再生装置は、サブコード情報を用いて、ＴＯＣ情報に絶対時刻で示される再生開始時刻に対応する位置を特定でき、これにより所望の位置にアクセスできる。ここで「再生開始時刻」とは、トラック内の相対時間が００：００：００となる絶対時刻である。
【０００５】
このようなマルチセッションディスクを再生する廉価メカニズムの再生装置や再生方法が提案されている（例えば、特許文献１を参照）。図５は、従来の光ディスク再生装置の構成を示す図である。光ディスク再生装置２００は、光ディスク３００に記録された情報を読み出す光ピックアップ３０、光ピックアップ３０で読み出した情報を２値化して誤り訂正を行う信号処理部３１、信号処理部３１で取得したデータからサブコードを検出するサブコード検出部３２、検出したサブコードからＴＯＣ情報を取得して記憶するＴＯＣ記憶部３３、記憶したＴＯＣ情報が第１セッションの情報であるか否かを判定する第１セッション判定部３４、光ピックアップの駆動制御等を行う制御部３５、光ピックアップ３０が光ディスクの最内周に移動したことを検出する最内周位置検出部３６、取得したデジタルデータをアナログ変換するＤＡ変換部３７、ＤＡ変換部３７から出力されるアナログオーディオ信号を増幅するオーディオ信号増幅部３８、オーディオ信号を出力するスピーカ３９を備える。
【０００６】
図７は、マルチセッションディスクのデータレイアウト例を示す図である。マルチセッションディスクは、第１セッションのリードイン領域であるＴＯＣ領域１、第１セッションのプログラム領域１、第１セッションのリードアウト領域１、第２セッションのリードイン領域であるＴＯＣ領域２、第２セッションのプログラム領域２、第２セッションのリードアウト領域２、で構成されている。また、プログラム領域１におけるセッション開始時刻は００：０２：００であり、プログラム領域１の開始トラック番号は１である。プログラム領域２のセッション開始時刻は０２：５４：００であり、プログラム領域２の開始トラック番号は２である。プログラム領域１に２０秒の短いＣＤ−ＤＡ曲が記録され、プログラム領域２にＣＤ−ＲＯＭデータが記録されている。
【０００７】
規格上、マルチセッションディスクは、第２セッション以降のＴＯＣ領域が１分間、第２セッション以降のリードアウト領域が３０秒間、第１セッションのリードアウト領域が１分３０秒間と定められている。従って、第１セッションのプログラム領域が最短の０秒間であるとしても、第１セッションの終了時刻は少なくとも１分３０秒を過ぎた時刻となる。つまり、第２セッションのセッション開始時刻が１分３０秒より前になることは有り得ない。そこで、従来の光ディスク再生装置では、ＴＯＣ情報の中のセッション開始時刻が１分３０秒（またはそれも前の時刻）以下の場合は第１セッションのＴＯＣ領域、大きい場合は第２セッション以降のＴＯＣ領域であると判定するように判定条件を設定している（例えば、特許文献１の実施の形態では判定条件を１分に設定）。
【０００８】
図６は、従来の光ディスク再生装置の再生開始動作手順を示すフローチャートである。例えば、図７に示すデータレイアウトのマルチセッションディスク３００が上記構成の光ディスク再生装置２００に装着されると、制御部３５は、トラバースモータ（不図示）で光ピックアップ３０をディスクの最内周位置へ移動させる（ステップＳ３０１）。最内周位置検出部３６で最内周位置への移動が検知されると、制御部３５はトラバースモータの駆動を停止し、その後、トラバースモータを外周方向に２４０ｍｓだけ駆動して、サブコードの時刻情報が約３分の位置となるように光ピックアップ３０を移動させる（ステップＳ３０２）。次に、ＴＯＣ情報を読み込むためにＴＯＣ領域へのアクセスを試みる。
【０００９】
光ディスクは、第１セッションに２０秒の短いＣＤ−ＤＡ曲が記録され、第２セッションにＣＤ−ＲＯＭデータが記録されているので、サブコードの時刻情報が約３分の位置にはＴＯＣ領域２が存在する。従って、制御部３５は、光ピックアップ３０の現在の位置がＴＯＣ領域にあることを認識し（ステップＳ３０３）、内周方向に光ピックアップ３０を移動させることなく、そのままの状態でＴＯＣ情報を読み込む（ステップＳ３０４）。
【００１０】
ところが、ここで読み込まれるのはＴＯＣ領域２のＴＯＣ情報である。そこで、第１セッション判定部３４は、読み込んだＴＯＣ情報が第１セッションのＴＯＣ情報であるか否かを、読み込んだＴＯＣ情報の中のセッション開始時刻で判定する（ステップＳ３０５）。セッション開始時刻が予め設定した所定の値（ここでは１分）以下である場合は第１セッションのＴＯＣ領域と判定し、所定の値より大きい場合は第２セッション以降のＴＯＣ領域と判定する。このディスクでは、ＴＯＣ領域１のセッション開始時刻はトラック１の開始時刻００：０２：００であり、ＴＯＣ領域２に記録されているセッション開始時刻はトラック２の開始時刻０２：５４：００である。上述のステップで読み込んだＴＯＣ領域２のセッション開始時刻は０２：５４：００と１分より大きいため、このＴＯＣ情報は第２セッション以降のＴＯＣ情報であると判定され、ステップＳ３０１へ戻る。制御部３５は、一旦光ピックアップ３０を最内周へ移動させた後、再びトラバースモータを駆動させて光ピックアップ３０を外周方向へ移動させる（ステップＳ３０２）。但し、以降の駆動時間は前回の２４０ｍｓよりも短い時間（例えば、１８０ｍｓ、１５０ｍｓなど）にして、光ピックアップ３０が第１セッションのプログラム領域へ入るまでステップＳ３０１からステップＳ３０５の手順を繰り返す。
【００１１】
光ピックアップ３０が第１セッションのＴＯＣ領域へ移動したことが認識されると（ステップＳ３０３）、第１セッション判定部３４は、光ピックアップ３０が読み込んだＴＯＣ情報が第１セッションのＴＯＣ情報であるか否かを、上述と同様にセッション開始時刻で判定する（ステップＳ３０５）。今度はセッション開始時刻が００：０２：００と１分より小さいため、このＴＯＣ領域は第１セッションのＴＯＣ領域であると判定される（ステップＳ３０６）。その後、ＴＯＣ情報の読み込みを開始し（ステップＳ３０７）、読み込みが完了した時点で一連の再生開始動作を終了する（ステップＳ３０８）。
【００１２】
【特許文献１】
特開２００３−３６６５１号公報（第５〜８頁、第１〜５図）
【００１３】
【発明が解決しようとする課題】
上記のように、従来の光ディスク再生装置では、読み取ったＴＯＣ情報に含まれるセッション開始時刻情報を所定の値と比較して、読み取ったＴＯＣ領域が第１セッションのＴＯＣ領域であるかどうかを判定している。
【００１４】
ところが、マルチセッションディスクによっては、プログラム領域の開始位置から先頭トラックの実際のデータ記録開始位置までの間隔（所謂マイナス時間）が長い場合がある。図８は、マイナス時間が長いマルチセッションディスクのデータレイアウト例を示す図である。図に示すように、第１セッションのプログラム領域は００：０２：００から開始するが、トラック１はマイナス時間が４分間あり、コンテンツデータは０４：０２：００から開始する。そのため、第１セッションのＴＯＣ領域１には、最初のトラックの開始時刻であるセッション開始時刻として０４：０２：００が記録されている。従って、従来の光ディスク再生装置にこのマルチセッションディスクを装着して上述のような再生開始動作を行うと、ＴＯＣ領域１にアクセスしても、ＴＯＣ情報に含まれるセッション開始時刻が１分より大きいため、第２セッション以降のセッションと誤判定される。即ち、図７のステップＳ３０１からステップＳ３０５の手順が永久に繰り返される無限ループに陥り、第１セッションの再生が行えなくなる。
【００１５】
このように、ＴＯＣ情報のセッション開始時刻を参照して所定の値と比較する従来の光ディスク再生装置では、第１セッションを第２セッション以降と誤判定し、第１セッションのコンテンツデータが読み出せない場合があるという問題があった。
【００１６】
本発明は、従来の問題を解決するためになされたもので、先頭トラックにおけるマイナス時間が長いマルチセッションディスクでも、第１セッションのＴＯＣ領域であるか否かの判定とコンテンツデータの再生が適切に行うことのできる光ディスク再生装置及び光ディスク再生方法を提供することを目的とする。
【００１７】
【課題を解決するための手段】
本発明の光ディスク再生装置は、ディスクに収納されている各プログラムトラックの開始位置に対応するようにディスク最内周位置から計測した再生開始時刻の情報を含む目次情報が記録されたリードイン領域、再生対象のコンテンツデータを収納したプログラムトラックが記録されたプログラム領域及びリードアウト領域を含むセッションを設けたディスクを再生する光ディスク再生装置であって、前記ディスクからデータ信号を読み出す光ピックアップと、前記データ信号を所定のデータに変換する信号処理手段と、前記データからサブコードを検出するサブコード検出手段と、前記サブコードを用いて、前記光ピックアップの位置がリードイン領域にあることを認識するリードイン領域認識手段と、認識したリードイン領域直後のプログラム領域まで前記光ピックアップを移動させる光ピックアップ移動制御手段と、移動後の光ピックアップの位置におけるサブコードから取得した時刻情報に基づいて認識したリードイン領域がディスクの第１セッションのリードイン領域であるか否かを判定するリードイン領域判定手段とを備える。
【００１８】
本発明の光ディスク再生方法は、ディスクに収納されている各プログラムトラックの開始位置に対応するようにディスク最内周位置から計測した再生開始時刻の情報を含む目次情報が記録されたリードイン領域、再生対象のコンテンツデータを収納したプログラムトラックが記録されたプログラム領域及びリードアウト領域を含むセッションを設けたディスクを再生する光ディスク再生方法であって、前記ディスクからデータ信号を読み出すステップと、前記データ信号を所定のデータに変換するステップと、前記データからサブコードを検出するステップと、前記サブコードを用いて前記光ピックアップの位置がリードイン領域にあることを認識するステップと、認識した所定のリードイン領域直後のプログラム領域まで前記光ピックアップを移動させるステップと、移動後の光ピックアップの位置におけるサブコードから取得した時刻情報に基づいて、認識したリードイン領域がディスクの第１セッションのリードイン領域であるか否かを判定するステップとを含む。
【００１９】
上記構成によれば、リードイン領域に記録された目次情報ではなく、その直後のプログラム領域の時刻情報に基づいて当該領域が第１セッションであるか否かを判定できる。
【００２０】
また、本発明の光ディスク再生装置は、前記リードイン領域判定手段は、前記時刻情報が所定の値より小さい場合、認識したリードイン領域が第１セッションのリードイン領域であると判定する。
【００２１】
また、本発明の光ディスク再生方法は、前記時刻情報が所定の値より小さい場合、認識したリードイン領域が第１セッションのリードイン領域であると判定する。
【００２２】
上記構成によれば、第２セッションのプログラム領域の最短開始時刻等を判定条件として設定することにより、時刻情報が判定条件より小さい場合に当該リードイン領域を第１セッションのリードイン領域と判定できる。
【００２３】
また、本発明の光ディスク再生装置は、前記リードイン領域の目次情報を読み取る目次情報読み取り手段と、前記目次情報読み取り手段で読み取った目次情報が前記ディスクの第１セッションの目次情報であるか否かを判定する目次情報判定手段と、を備え、前記光ピックアップ移動制御手段は、前記目次情報判定手段が、読み取った目次情報が第１セッションの目次情報でない可能性があると判定した場合にのみ、前記光ピックアップをプログラム領域まで移動させる。
【００２４】
また、本発明の光ディスク再生方法は、前記リードイン領域の目次情報を読み取るステップと、読み取った目次情報が前記ディスクの第１セッションの目次情報であるか否かを判定するステップと、を含み、読み取った目次情報が第１セッションの目次情報でない可能性があると判定した場合にのみ、前記光ピックアップをプログラム領域まで移動させる。
【００２５】
上記構成によれば、確実に第１セッションである特定される場合は判定動作を行わないことにより、起動時間の短縮化が図れる。
【００２６】
また、本発明の光ディスク再生装置は、前記目次情報判定手段は、目次情報に含まれる開始トラック番号情報が“１”である場合、読み取ったリードイン領域がディスクの第１セッションであると判定する。
【００２７】
また、本発明の光ディスク再生方法は、前記目次情報に含まれる開始トラック番号情報が“１”である場合、読み取ったリードイン領域がディスクの第１セッションであると判定する。
【００２８】
上記構成によれば、トラック番号が１である目次情報を含むリードイン領域を第１セッションのリードイン領域であると特定できる。
【００２９】
また、本発明の光ディスク再生装置は、前記目次情報判定手段は、目次情報にＭＯＤＥ５フォーマットで記録された情報が存在し、かつＰＯＩＮＴ＝０ｘＣ０となる情報が存在する場合、読み取ったリードイン領域がディスクの第１セッションであると判定する。
【００３０】
また、本発明の光ディスク再生方法は、前記目次情報にＭＯＤＥ５フォーマットで記録された情報が存在し、かつＰＯＩＮＴ＝０ｘＣ０である場合、読み取ったリードイン領域がディスクの第１セッションであると判定する。
【００３１】
上記構成によれば、ＰＯＩＮＴ＝０ｘＣ０となる情報が存在する目次情報を含むリードイン領域を第１セッションのリードイン領域であると特定できる。
【００３２】
【発明の実施の形態】
以下、本発明の実施の形態の光ディスク再生装置について、図面を用いて説明する。
本発明の第１の実施の形態の光ディスク再生装置を図１に示す。
図１において、光ディスク再生装置１００は、マルチセッションディスク３００に記録されたデータ信号を読み出す光ピックアップ１０、光ピックアップ１０で読み出したデータ信号を２値化して誤り訂正等の処理を行う信号処理部１１、信号処理部１１で取得したデータからサブコードを検出するサブコード検出部１２、サブコードから光ディスクの目次情報が記録されたＴＯＣ領域を認識するＴＯＣ認識部１３、光ピックアップの駆動制御等を行う制御部１４、プログラム領域内のサブコードから時刻情報を読み込む時刻情報読込部１５、時刻情報読込部１５で読み込んだ時刻情報と所定の値とを比較してリードイン領域を判定するリードイン領域判定部１６、光ピックアップ１０が光ディスクの最内周に移動したことを検出する最内周位置検出部１７、取得したデジタルデータをアナログ変換するＤＡ変換部１８、ＤＡ変換部１８から出力されるアナログオーディオ信号を増幅するオーディオ信号増幅部１９、オーディオ信号を出力するスピーカ２０を備える。
【００３３】
以上のように構成された光ディスク再生装置について、図２を用いてその動作を説明する。
マイナス時間が長いマルチセッションディスク（図８参照）が光ディスク再生装置１００に装着されると、制御部１４は、トラバースモータ（不図示）で光ピックアップ１０をディスクの最内周位置へ移動させる（ステップＳ１０１）。最内周位置検出部１７で最内周位置への移動が検知されると、制御部１４はトラバースモータの駆動を停止する。その後、制御部１４は、トラバースモータを外周方向に２４０ｍｓだけ駆動して、サブコードの時刻情報が約３分の位置となるように光ピックアップ１０を移動させる（ステップＳ１０２）。次に、ＴＯＣ情報を読み込むためにＴＯＣ領域へのアクセスを試みる。ＴＯＣ領域はトラック番号が常に“０ｘ００”であるため、ＴＯＣ認識部１３は、トラック番号“０ｘ００”を検知するとＴＯＣ領域に入ったと認識できる（ステップＳ１０３）。
【００３４】
このマルチセッションディスクでは時刻情報が約３分の位置がプログラム領域１であるためステップＳ１０４へ進み、時刻情報読込部１５で取得した時刻から絶対時間の１秒付近までシークし、ＴＯＣ領域を検索する（ステップＳ１０５）。このステップでもシーク中にＴＯＣ領域が存在しないためステップＳ１０６へ進み、シークを完了してそのまま内周方向へトラックジャンプしてＴＯＣ領域に入る（ステップＳ１０７）。この場合のＴＯＣ領域は、ＴＯＣ領域１即ち第１セッションのＴＯＣ領域である。
【００３５】
ステップＳ１０３に戻り、ＴＯＣ領域に入ったことをＴＯＣ認識部１３が認識すると、制御部１４は、プログラム領域に入るまで、当該位置から１００本ずつトラックジャンプを繰り返し、光ピックアップ１０を外周方向へ移動させる（ステップＳ１０８）。プログラム領域へ入ったことが認識されると（ステップＳ１０９）、時刻情報読込部１５は、当該位置におけるサブコードから時刻情報を読み込み、リードイン領域判定部１６で所定の値と比較を行いリードイン領域を判定する（ステップＳ１１０）。
【００３６】
第１セッションのリードアウト領域は規格上１分３０秒間であるため、ＴＯＣ領域直後のプログラム領域の絶対時刻が少なくとも１分３０秒より小さければ、そのＴＯＣ領域は第１セッションのＴＯＣ領域であると特定できる。逆に、１分３０秒より大きければ、そのＴＯＣ領域は第２セッション以降のＴＯＣ領域であると特定できる。
【００３７】
このマルチセッションディスクの場合、第１セッションの先頭トラックはマイナス時間が４分間あり、第１セッションの開始時刻は０４：０２：００となっている。そのため、セッション開始時刻で判定すると第１セッションのＴＯＣ領域を第２セッション以降のＴＯＣ領域であると誤判定してしまう。しかし、第１の実施の形態の光ディスク再生装置では、ＴＯＣ領域１直後のプログラム領域の絶対時刻の情報で比較を行うため、トラックジャンプ後の位置から取得する時刻情報は必ず１分３０秒より小さくなり、第１セッションのＴＯＣ領域か否かを確実に判断できる。
【００３８】
当該ＴＯＣ領域が第１セッションのＴＯＣ領域であると判定されると（ステップＳ１１２）、制御部１４は、光ピックアップ１０を４００本内周方向へトラックジャンプさせ（ステップＳ１１３）、第１セッションのＴＯＣ情報を読み込む（ステップＳ１１４）。ＴＯＣ情報の読み込み完了後（ステップＳ１１５）、一連の再生開始動作を終了する。
【００３９】
一方、ステップＳ１０３で、２４０ｍｓ駆動後の光ピックアップが丁度ＴＯＣ領域上にある場合、直接ステップＳ１０８へ進み、プログラム領域に出るまでトラックジャンプを繰り返す。また、ステップＳ１０５で、シーク時にＴＯＣ領域が認識される場合も、ステップＳ１０８へ進み、プログラム領域に出るまでトラックジャンプを繰り返す。
【００４０】
さらに、ステップＳ１１０で、プログラム領域の当該位置の時刻が１分３０秒より大きい場合、制御部１４は、当該ＴＯＣ領域を第２セッション以降のＴＯＣ領域であると判定し（ステップＳ１１１）、００：０１：００までのトラック本数を計算してその本数分トラックジャンプを行う。判定後はステップＳ１１３へ合流し、同様に内周方向へ４００本トラックジャンプして第１セッションのＴＯＣ領域へ入り、ＴＯＣ情報の読み込みを行う。
【００４１】
このような本発明の第１の実施の形態の光ディスク再生装置によれば、マイナス時間が長く第１セッションのセッション開始時刻が１分３０秒を超えるようなマルチセッションディスクでも、第１セッションの判定と再生が適切に行われる。
【００４２】
次に、本発明の第２の実施の形態の光ディスク再生装置を図３に示す。
図３において、光ディスク再生装置１０１は、第１の実施の形態の光ディスク再生装置と比較して、ＴＯＣ情報の読み込みを行うＴＯＣ読込部２１と、読み込んだＴＯＣ情報に基づいて当該ＴＯＣ領域が第１セッションのＴＯＣ領域であるか否かを判定するＴＯＣ情報判定部２２とが付加された構成となっている。
【００４３】
以上のように構成された光ディスク再生装置について、図４を用いてその動作を説明する。
マイナス時間が長いマルチセッションディスク（図８参照）が光ディスク再生装置１０１に装着されると、ステップＳ２０１からステップＳ２０７までの手順を経て、ステップＳ２０３で再びＴＯＣ領域の検知が行われる。ステップＳ２０１からステップＳ２０７までの手順は、第１の実施の形態の光ディスク再生装置の再生開始動作手順を示すフローチャート（図２）のステップＳ１０１からステップＳ１０７までと同様であるので説明を省略する。
【００４４】
ＴＯＣ領域に入ったことをＴＯＣ認識部１３が認識すると、ＴＯＣ読込部２１は直ちにＴＯＣ領域の情報の読み込みを行う（ステップＳ２０８）。ＴＯＣ情報判定部２２は、読み込んだＴＯＣ情報について、開始トラック番号＝１と、ＭＯＤＥ５フォーマットで記録されたＰＯＩＮＴ＝０ｘＣ０と、が存在するか否かを判定する（ステップＳ２０９）。開始トラック番号情報が“１”であるセッションは必ず第１セッションのＴＯＣ領域であると特定できる。また、マルチセッションディスクの第１セッションのＴＯＣ領域にはＰＯＩＮＴ＝０ｘＣ０が常に存在するため、その情報を含むＴＯＣ領域は第１セッションのＴＯＣ領域であると特定できる。これらの判定条件を両方とも満たさない場合のみステップＳ２１０へ進み、当該ＴＯＣ領域が第１セッションのＴＯＣ領域であるか否かの判定動作を実行する。ステップＳ２１０からステップＳステップＳ２１６までの手順は、第１の実施の形態の光ディスク再生装置の再生開始動作手順を示すフローチャート（図２）のステップＳ１０８からステップＳ１１１まで及びステップＳ１１３からステップＳ１１５までと同様であるため、説明を省略する。
【００４５】
なお、上記判定条件を両方とも満たさない場合として、マルチセッションディスクの第２セッション以降のＴＯＣ領域である場合または開始トラック番号が“１”以外のシングルセッションディスクのＴＯＣ領域である場合などが考えられる。
【００４６】
一方、ステップＳ２０９で上記両方の判定条件を満たす場合、ＴＯＣ情報判定部２２は、当該ＴＯＣ領域を第１セッションのＴＯＣ領域と判定し、直接ステップＳ２１５へ進み、当該ＴＯＣ情報の読み込みを行う。また、ステップＳ２１２で、プログラム領域の時刻情報が１分３０秒より大きい場合は、００：０１：００までトラックジャンプして（ステップＳ２１７）、ステップＳ２０４へ戻る。ステップＳ２０４のシークではＴＯＣ領域が認識されるので、ステップＳ２０５からステップＳ２０８へと進み、第１セッションのＴＯＣ情報が読み込まれる。
【００４７】
このような本発明の第２の実施の形態の光ディスク再生装置によれば、ＴＯＣ情報の判定において開始トラック番号＝“１”またはＭＯＤＥ５フォーマットで記録されたＰＯＩＮＴ＝０ｘＣ０の存在が認められるＴＯＣ領域は即座に第１セッションのＴＯＣ領域であると判定される。そのため、遅延が少ない起動動作を実現できる。
【００４８】
なお、以上の説明では、第１セッションのＴＯＣ領域であるか否かを判定する判定条件として１分３０秒を設定したが、実際には第２セッションのリードイン領域が１分あるため、第２セッションのプログラム領域の開始時刻は２分３０秒より前になることはない。従って、設定条件は２分３０秒またはそれより前の時刻に適宜設定してもかまわない。
【００４９】
【発明の効果】
以上のように本発明は、光ピックアップをＴＯＣ領域直後のプログラム領域まで移動させ、プログラム領域内の時刻情報と所定の値とを比較することにより、先頭トラックにおけるマイナス時間が長いマルチセッションディスクであっても、第１セッションのＴＯＣ領域であるか否かの判定とコンテンツデータの再生が適切に行うことができる光ディスク再生装置及び光ディスク再生方法を提供することができるものである。
【図面の簡単な説明】
【図１】本発明の第１の実施の形態における光ディスク再生装置のブロック図
【図２】本発明の第１の実施の形態における光ディスク再生装置の動作説明のためのフロー図
【図３】本発明の第２の実施の形態における光ディスク再生装置のブロック図
【図４】本発明の第２の実施の形態における光ディスク再生装置の動作説明のためのフロー図
【図５】従来の光ディスク再生装置のブロック図
【図６】マルチセッションディスクのデータレイアウト例を示す図
【図７】従来の光ディスク再生装置の再生開始動作手順を示すフローチャート
【図８】マイナス時間が長いマルチセッションディスクのデータレイアウト例を示す図。
【符号の説明】
１０  光ピックアップ
１３  ＴＯＣ認識部
１４  制御部
１５  時刻情報読込部
１６  リードイン領域判定部
２１  ＴＯＣ読込部
２２  ＴＯＣ情報判定部
１００、１０１  光ディスク再生装置
３００  光ディスク
【図１】
2004335018.tif 000003
【図２】
2004335018.tif 000004
【図３】
2004335018.tif 000005
【図４】
2004335018.tif 000006
【図５】
2004335018.tif 000007
【図６】
2004335018.tif 000008
【図７】
2004335018.tif 000009
【図８】
2004335018.tif 000010